(57)【要約】【課題】  特定の自動販売機固有の商品販売を促進させること。【解決手段】  自動販売機１の制御部１１が、決済で用いられたＩＣカード３１の識別情報と記憶部１７に記憶された当選情報とが一致すると判断した場合、販売機能部１６は商品３５を排出する。当該識別情報が当選情報と一致しない場合は、当選確率を設定し、抽選機能部１５は、記憶部１７が確率情報２７として記憶する当選確率に基づいて抽選を行う。抽選処理において当該識別情報が当選した場合、制御部１１は、当選確率を初期化し、当該識別情報と当該識別情報に対応した当選確率を確率情報２７として記憶部１７に記憶する。【選択図】  図１
2008186372.tif 000002
【特許請求の範囲】
【請求項１】
商品購入要求の入力を受け付ける購入要求受付手段と、
識別情報の入力を受け付ける識別情報入力受付手段と、
前記商品購入要求に基づく商品の出力時に、当選確率記憶部が記憶する当選確率に基づいて抽選を行う抽選手段と、
前記抽選の結果、当選と判定した場合には、前記識別情報を当選ユーザ記憶部に登録する当選ユーザ登録手段と、
前記商品購入要求を受け付けた際に、前記入力を受け付けた識別情報が前記当選ユーザ記憶部に登録されているか否かを判定し、登録されている場合には、前記商品の決済無しに前記商品を出力処理する商品出力手段と、
を備えることを特徴とする自動販売機。
【請求項２】
商品購入要求の入力を受け付ける購入要求受付手段と、
識別情報の入力を受け付ける識別情報入力受付手段と、
前記商品購入要求に基づく商品の出力時に、当選確率記憶部が記憶する当選確率に基づいて抽選を行う抽選手段と、
前記抽選の結果、当選と判定した場合には、前記識別情報と当選内容情報とを当選ユーザ記憶部に登録する当選ユーザ登録手段と、
前記商品購入要求を受け付けた際に、前記入力を受け付けた識別情報が前記当選ユーザ記憶部に登録されているか否かを判定し、登録されている場合には、前記当選内容情報に基づく金額変換が行われた決済金額で決済を行い前記商品を出力処理する商品出力手段と、
を備えることを特徴とする自動販売機。
【請求項３】
前記当選確率記憶部が前記識別情報に対応付けて前記当選確率を記憶しており、
前記商品購入要求を受け付けた際に、前記入力を受け付けた識別情報に対応付けられて前記当選確率記憶部の記憶する当選確率を変化させる当選確率変更手段と、
を備えることを特徴とする請求項１または２に記載の自動販売機。
【請求項４】
前記当選確率記憶部が前記識別情報に対応付けて前記当選確率を記憶しており、
前記商品購入要求を受け付けた際に、前記入力を受け付けた識別情報と、購入日とを対応付けて購入日記憶部に登録する購入日登録手段と、
前記抽選の結果、当選と判定されなかった場合には、前記購入日からの経過日を算出して、当該経過日に応じて、前記入力を受け付けた識別情報に対応付けられて前記当選確率記憶部の記憶する当選確率を変化させる当選確率変更手段と、
を備えることを特徴とする請求項１または２に記載の自動販売機。
【請求項５】
前記当選確率記憶部が前記識別情報に対応付けて前記当選確率を記憶しており、
前記識別情報に基づいて前記当選確率を変化させて、前記当選確率記憶部に登録する当選確率変更手段と、
を備えることを特徴とする請求項１または２に記載の自動販売機。
【請求項６】
前記当選確率記憶部が前記識別情報に対応付けて前記当選確率を記憶しており、
前記ユーザ登録手段が、前記当選と判定した場合に、前記入力を受け付けた識別情報と、当選日とを対応付けて前記当選ユーザ記憶部に登録し、
前記商品購入要求を受け付けた際に、前記入力を受け付けた識別情報が前記当選ユーザ記憶部に登録されている場合には、前記当選日からの経過日を算出して、当該経過日に応じて、当選したユーザの識別情報に対応付けられて前記当選確率記憶部の記憶する当選確率を変化させる当選確率変更手段と、
を備えることを特徴とする請求項１または２に記載の自動販売機。
【請求項７】
前記自動販売機が、電子決済機能を有する自動販売機であり、
前記識別情報が、電子決済を行なうために使用する情報が記録された電子メディアの固有の識別情報、もしくは前記電子メディアを使用することで受けることが可能なサービスに固有の識別情報である
ことをさらに特徴とする請求項１から６のいずれかに記載の自動販売機。
【請求項８】
前記電子メディアが非接触ＩＣメディアであり、
前記識別情報が、前記非接触ＩＣメディアの有する製造上の固有の識別情報、もしくは前記非接触ＩＣメディアを使用することで受けることが可能なサービスに固有の識別情報である
ことをさらに特徴とする請求項７に記載の自動販売機。
【請求項９】
前記識別情報入力受付手段が、前記購入要求受付手段で商品購入要求を受付けた商品の決済処理を行うために、前記電子メディアから識別情報を読み出し、
前記商品購入要求を受け付けた際に、前記入力を受け付けた前記電子メディアの識別情報が前記当選ユーザ記憶部に登録されていない場合に、前記電子メディアでの決済処理を行う決済手段と、
をさらに備えることを特徴とする請求項７または請求項８に記載の自動販売機。
【請求項１０】
商品購入要求の入力を受け付ける第１のステップと、
識別情報の入力を受け付ける第２のステップと、
前記商品購入要求に基づく商品の出力時に、当選確率記憶部が記憶する当選確率に基づいて抽選を行う第３のステップと、
前記抽選の結果、当選と判定した場合には、前記識別情報を当選ユーザ記憶部に登録する第４のステップと、
前記商品購入要求を受け付けた際に、前記入力を受け付けた識別情報が前記当選ユーザ記憶部に登録されているか否かを判定し、登録されている場合には、前記商品の決済無しに前記商品を出力処理する第５のステップと、
を有することを特徴とする自動販売機による商品販売方法。
【請求項１１】
商品購入要求の入力を受け付ける第１のステップと、
識別情報の入力を受け付ける第２のステップと、
前記商品購入要求に基づく商品の出力時に、当選確率記憶部が記憶する当選確率に基づいて抽選を行う第３のステップと、
前記抽選の結果、当選と判定した場合には、前記識別情報と当選内容情報とを当選ユーザ記憶部に登録する第４のステップと、
前記商品購入要求を受け付けた際に、前記入力を受け付けた識別情報が前記当選ユーザ記憶部に登録されているか否かを判定し、登録されている場合には、前記当選内容情報に基づく金額変換が行われた決済金額で決済を行い前記商品を出力処理する第５のステップと、
を有することを特徴とする自動販売機による商品販売方法。
【請求項１２】
前記第２のステップは、電子メディアからの識別情報の入力を受け付け、
前記第５のステップは、前記自動販売機が、前記入力を受け付けた識別情報が前記当選ユーザ記憶部に登録されているか否かを判定し、登録されていない場合には、前記電子メディアの識別情報に基づいて電子決済処理を行う
ことをさらに特徴とする請求項１０または１１に記載の商品販売方法。
【請求項１３】
自動販売機を、
商品購入要求の入力を受け付ける購入要求受付手段と、
識別情報の入力を受け付ける識別情報入力受付手段と、
前記商品購入要求に基づく商品の出力時に、当選確率記憶部が記憶する当選確率に基づいて抽選を行う抽選手段と、
前記抽選の結果、当選と判定した場合には、前記識別情報を当選ユーザ記憶部に登録する当選ユーザ登録手段と、
前記商品購入要求を受け付けた際に、前記入力を受け付けた識別情報が前記当選ユーザ記憶部に登録されているか否かを判定し、登録されている場合には、前記商品の決済無しに前記商品を出力処理する商品出力手段と、
して動作させるプログラム。
【請求項１４】
自動販売機を、
商品購入要求の入力を受け付ける購入要求受付手段と、
識別情報の入力を受け付ける識別情報入力受付手段と、
前記商品購入要求に基づく商品の出力時に、当選確率記憶部が記憶する当選確率に基づいて抽選を行う抽選手段と、
前記抽選の結果、当選と判定した場合には、前記識別情報と当選内容情報とを当選ユーザ記憶部に登録する当選ユーザ登録手段と、
前記商品購入要求を受け付けた際に、前記入力を受け付けた識別情報が前記当選ユーザ記憶部に登録されているか否かを判定し、登録されている場合には、前記当選内容情報に基づく金額変換が行われた決済金額で決済を行い前記商品を出力処理する商品出力手段と、
して動作させるプログラム。
【請求項１５】
前記識別情報入力受付手段は、電子メディアからの識別情報の入力を受け付け、
前記商品出力手段は、前記自動販売機が、前記入力を受け付けた識別情報が前記当選ユーザ記憶部に登録されているか否かを判定し、登録されていない場合には、前記電子メディアの識別情報に基づいて電子決済処理を行う
ことをさらに特徴とする請求項１３または１４に記載のプログラム。
【発明の詳細な説明】
【技術分野】
【０００１】
本発明は、電子決済機能と、電子決済メディアの識別情報による抽選機能と、抽選の当選権利保持機能を有する自動販売機に関する。
【背景技術】
【０００２】
従来の自動販売機には、特許文献１に記載されるような、商品購入時に景品を払い出す機能を備えているものや、特許文献２に記載されるような、自動販売機に顧客参加型のゲーム機能を備え、エンタテイメント性を高めることによって集客率を向上させるものがある。
【０００３】
【特許文献１】特開平１１−２１３２２１号公報
【特許文献２】特開平６−６０２５６号公報
【発明の開示】
【発明が解決しようとする課題】
【０００４】
しかしながら、特許文献１や特許文献２に記載されるような自動販売機は、商品購入時にのみ顧客にサービスを還元するものである。顧客が特定の自動販売機で繰り返し商品を購入し続けても、サービスの質は顧客によって代わるものではない。つまり、特許文献１や特許文献２に記載されるような自動販売機では、顧客にとって、どれであってもサービスの質は一定であるため、特定の自動販売機に対する集客率を高め、販売促進を図ることは困難であるという問題があった。同一箇所に複数のメーカーの自動販売機が多数設置される状況では、商品購入者が、多数ある自動販売機の中で特定の自動販売機を選び、再来して商品を購入することが自動販売機による商品販売促進にとって重要となる。また、個人商店などに設置する自動販売機では、管理者である個人商店主にとってその自動販売機固有の売り上げを伸ばすことが重要となる。
【０００５】
本発明は、以上の点に鑑みてなされたものであり、固有の販売効果を促進する自動販売機、その自動販売機による商品販売方法、及びプログラムを提供することを目的とする。
【課題を解決するための手段】
【０００６】
前述した目的を達成するために本発明は、商品購入要求の入力を受け付ける購入要求受付手段と、識別情報の入力を受け付ける識別情報入力受付手段と、商品購入要求に基づく商品の出力時に、当選確率記憶部が記憶する当選確率に基づいて抽選を行う抽選手段と、抽選の結果、当選と判定した場合には、識別情報を当選ユーザ記憶部に登録する当選ユーザ登録手段と、商品購入要求を受け付けた際に、入力を受け付けた識別情報が当選ユーザ記憶部に登録されているか否かを判定し、登録されている場合には、商品の決済無しに商品を出力処理する商品出力手段と、を備えることを特徴とする自動販売機である。
【０００７】
ここで、識別情報とは、商品を購入する際の決済に用いる電子決済メディアの識別番号等の情報である。本発明の自動販売機は、当選確率記憶部が記憶する当選確率に基づいて抽選を行い、抽選で当選した場合、識別情報を当選情報として記憶しておき、識別情報が入力され、当選情報が一致する場合は、商品を排出する。即ち、抽選の結果得られた当選権利を自動販売機に記憶しておくことができ、特定の自動販売機の集客率を向上させ、販売を促進することが可能である。
また、抽選における当選確率の演算処理として、当選の抽選処理における当選確率を、購入回数（購買回数）、或いは前回購入日からの経過日数、或いは前回の当選日からの経過日数、或いは識別情報と対応させて増加させることによって、特定の自動販売機に対する集客率を向上させ、販売を促進することが可能である。
【０００８】
本発明は、商品購入要求の入力を受け付ける購入要求受付手段と、識別情報の入力を受け付ける識別情報入力受付手段と、商品購入要求に基づく商品の出力時に、当選確率記憶部が記憶する当選確率に基づいて抽選を行う抽選手段と、抽選の結果、当選と判定した場合には、識別情報と当選内容情報とを当選ユーザ記憶部に登録する当選ユーザ登録手段と、商品購入要求を受け付けた際に、入力を受け付けた識別情報が当選ユーザ記憶部に登録されているか否かを判定し、登録されている場合には、当選内容情報に基づく金額変換が行われた決済金額で決済を行い商品を出力処理する商品出力手段と、を備えることを特徴とする自動販売機である。
【０００９】
本発明は、当選確率記憶部が識別情報に対応付けて当選確率を記憶しており、商品購入要求を受け付けた際に、入力を受け付けた識別情報に対応付けられて当選確率記憶部の記憶する当選確率を変化させる当選確率変更手段と、を備えることを特徴とする請求項１または２に記載の自動販売機である。
【００１０】
本発明は、当選確率記憶部が識別情報に対応付けて当選確率を記憶しており、商品購入要求を受け付けた際に、入力を受け付けた識別情報と、購入日とを対応付けて購入日記憶部に登録する購入日登録手段と、抽選の結果、当選と判定されなかった場合には、購入日からの経過日を算出して、当該経過日に応じて、入力を受け付けた識別情報に対応付けられて当選確率記憶部の記憶する当選確率を変化させる当選確率変更手段と、を備えることを特徴とする請求項１または２に記載の自動販売機である。
【００１１】
本発明は、当選確率記憶部が識別情報に対応付けて当選確率を記憶しており、識別情報に基づいて当選確率を変化させて、当選確率記憶部に登録する当選確率変更手段と、を備えることを特徴とする請求項１または２に記載の自動販売機である。
【００１２】
本発明は、当選確率記憶部が識別情報に対応付けて当選確率を記憶しており、ユーザ登録手段が、当選と判定した場合に、入力を受け付けた識別情報と、当選日とを対応付けて当選ユーザ記憶部に登録し、商品購入要求を受け付けた際に、入力を受け付けた識別情報が当選ユーザ記憶部に登録されている場合には、当選日からの経過日を算出して、当該経過日に応じて、当選したユーザの識別情報に対応付けられて当選確率記憶部の記憶する当選確率を変化させる当選確率変更手段と、を備えることを特徴とする請求項１または２に記載の自動販売機である。
【００１３】
本発明は、自動販売機が、電子決済機能を有する自動販売機であり、識別情報が、電子決済を行なうために使用する情報が記録された電子メディアの固有の識別情報、もしくは電子メディアを使用することで受けることが可能なサービスに固有の識別情報であることをさらに特徴とする請求項１から６のいずれかに記載の自動販売機である。
【００１４】
本発明は、電子メディアが非接触ＩＣメディアであり、識別情報が、非接触ＩＣメディアの有する製造上の固有の識別情報、もしくは非接触ＩＣメディアを使用することで受けることが可能なサービスに固有の識別情報であることをさらに特徴とする請求項７に記載の自動販売機である。
【００１５】
本発明は、識別情報入力受付手段が、購入要求受付手段で商品購入要求を受付けた商品の決済処理を行うために、電子メディアから識別情報を読み出し、商品購入要求を受け付けた際に、入力を受け付けた電子メディアの識別情報が当選ユーザ記憶部に登録されていない場合に、電子メディアでの決済処理を行う決済手段と、をさらに備えることを特徴とする請求項７または請求項８に記載の自動販売機である。
【００１６】
本発明は、商品購入要求の入力を受け付ける第１のステップと、識別情報の入力を受け付ける第２のステップと、商品購入要求に基づく商品の出力時に、当選確率記憶部が記憶する当選確率に基づいて抽選を行う第３のステップと、抽選の結果、当選と判定した場合には、識別情報を当選ユーザ記憶部に登録する第４のステップと、商品購入要求を受け付けた際に、入力を受け付けた識別情報が当選ユーザ記憶部に登録されているか否かを判定し、登録されている場合には、商品の決済無しに商品を出力処理する第５のステップと、を有することを特徴とする自動販売機による商品販売方法である。
【００１７】
本発明は、商品購入要求の入力を受け付ける第１のステップと、識別情報の入力を受け付ける第２のステップと、商品購入要求に基づく商品の出力時に、当選確率記憶部が記憶する当選確率に基づいて抽選を行う第３のステップと、抽選の結果、当選と判定した場合には、識別情報と当選内容情報とを当選ユーザ記憶部に登録する第４のステップと、商品購入要求を受け付けた際に、入力を受け付けた識別情報が当選ユーザ記憶部に登録されているか否かを判定し、登録されている場合には、当選内容情報に基づく金額変換が行われた決済金額で決済を行い商品を出力処理する第５のステップと、を有することを特徴とする自動販売機による商品販売方法である。
【００１８】
本発明は、第２のステップは、電子メディアからの識別情報の入力を受け付け、第５のステップは、自動販売機が、入力を受け付けた識別情報が当選ユーザ記憶部に登録されているか否かを判定し、登録されていない場合には、電子メディアの識別情報に基づいて電子決済処理を行うことをさらに特徴とする請求項１０または１１に記載の商品販売方法である。
【００１９】
本発明は、自動販売機を、商品購入要求の入力を受け付ける購入要求受付手段と、識別情報の入力を受け付ける識別情報入力受付手段と、商品購入要求に基づく商品の出力時に、当選確率記憶部が記憶する当選確率に基づいて抽選を行う抽選手段と、抽選の結果、当選と判定した場合には、識別情報を当選ユーザ記憶部に登録する当選ユーザ登録手段と、商品購入要求を受け付けた際に、入力を受け付けた識別情報が当選ユーザ記憶部に登録されているか否かを判定し、登録されている場合には、商品の決済無しに商品を出力処理する商品出力手段と、して動作させるプログラムである。
【００２０】
本発明は、自動販売機を、商品購入要求の入力を受け付ける購入要求受付手段と、識別情報の入力を受け付ける識別情報入力受付手段と、商品購入要求に基づく商品の出力時に、当選確率記憶部が記憶する当選確率に基づいて抽選を行う抽選手段と、抽選の結果、当選と判定した場合には、識別情報と当選内容情報とを当選ユーザ記憶部に登録する当選ユーザ登録手段と、商品購入要求を受け付けた際に、入力を受け付けた識別情報が当選ユーザ記憶部に登録されているか否かを判定し、登録されている場合には、当選内容情報に基づく金額変換が行われた決済金額で決済を行い商品を出力処理する商品出力手段と、して動作させるプログラムである。
【００２１】
本発明は、識別情報入力受付手段は、電子メディアからの識別情報の入力を受け付け、商品出力手段は、自動販売機が、入力を受け付けた識別情報が当選ユーザ記憶部に登録されているか否かを判定し、登録されていない場合には、電子メディアの識別情報に基づいて電子決済処理を行うことをさらに特徴とする請求項１３または１４に記載のプログラムである。
【発明の効果】
【００２２】
本発明によれば、商品購入者が特定の自動販売機に再来し、商品を購入し、特定の自動販売機の販売を促進することが可能である。
【発明を実施するための最良の形態】
【００２３】
以下に、添付図面を参照しながら、本発明に係る自動販売機の好適な実施形態について詳細に説明する。なお、以下の説明および添付図面において、同一の機能構成を有する構成要素については、同一の符号を付することにより重複説明を省略することにする。
【００２４】
本発明の自動販売機は、電子決済機能を有する自動販売機である。ここで、電子決済とは、例えば、ＩＣカードやＩＣカード搭載型携帯端末、ＲＦタグ（ＩＣタグ、ＲＦ：Radio Frequency）などによる電子マネー決済、或いは、クレジットカードなどの磁気カード認証によるカード決済など、電子メディアであるＩＣカードや磁気カードなどの識別情報を認証して行う決済処理をいう。本実施の形態では、非接触で自動販売機と決済情報の送受が可能なＩＣメディアとしてのＩＣカードを用いた決済を例に説明する。
【００２５】
図１は、本発明の形態に係る自動販売機１のブロック構成図である。
図１に示すように、自動販売機１は、制御部１１、アンテナ１２、非接触ＩＣカードリーダライタ１３、決済機能部１４、抽選機能部１５、販売機能部１６、記憶部１７等から構成される。
【００２６】
制御部１１（購入要求受付手段、識別情報入力受付手段、当選ユーザ登録手段、当選確率変更手段、購入日登録手段）は、ＣＰＵ（Central Processing Unit）、ＲＯＭ（Read Only Memory）、ＲＡＭ（Random Access Memory）等で構成され、記憶部１７、ＲＯＭ等に格納されるプログラムをＲＡＭ上のワークメモリ領域に呼び出して実行し、非接触ＩＣカードリーダライタ１３、決済機能部１４、抽選機能部１５、販売機能部１６、記憶部１７等を制御し、後述する各種処理を実現する。
【００２７】
非接触ＩＣカードリーダライタ１３は、アンテナ１２に電流を流すことによってＩＣカード３１とデータを送受信し、ＩＣカード３１の識別情報等のデータを読み出す。
決済機能部１４は、ユーザ３２が自動販売機１で商品を購入する際に、ＩＣカード３１の識別情報を用いて決済処理を行う。
抽選機能部１５（抽選手段）は、ユーザ３２がＩＣカード３１を利用して商品を購入した際に、ＩＣカード３１の識別情報を用いて抽選を行い、当選権利を付与するかどうかを決定する。
販売機能部１６（商品出力手段）は、決済処理が確認されると、ユーザ３２の購入要求に応じた商品３５を出力する。
【００２８】
記憶部１７は、識別情報２１、購買情報２３、当選情報２５、確率情報２７等のデータを記憶する。識別情報２１は、ＩＣカード３１の識別情報であり、ＩＣカード３１のＩＤ番号等である。購買情報２３は、ＩＣカード３１のユーザ３２が購入した商品、購入日時、購入回数（購買回数）等の情報であり、記憶部１７は、ＩＣカード３１の識別情報２１等に対応付けて購買情報２３を記憶する。当選情報２５は、抽選機能部１５により当選が与えられた識別情報、当選内容情報（商品の無償提供、商品の割引提供（割引率、割引金額、または割引後の価格を含む）等）、当選日時等の情報であり、記憶部１７は、ＩＣカード３１の識別情報２１に対応付けて当選情報２５を記憶する。確率情報２７は、抽選機能部１５が行う抽選の当選確率等の情報であり、例えば、図８に示す確率段階と当選確率の設定テーブルと、各識別情報に対応させた確率段階等の情報である。記憶部１７はＩＣカード３１の識別情報に対応付けて確率情報２７を記憶する。
図１においてＩＣカード３１は、ユーザ３２が商品を購入して決済するために使用する電子メディアである。ＩＣカード３１には識別情報が記録されている。識別情報は例えば、ＩＣカード３１に製造時に付与される製造番号（例えばＩＤｍなど）や、ＩＣカード３１によってユーザ３２が受けることができるサービスに固有の番号（例えばクレジットカード番号など）である。
【００２９】
次に、自動販売機１による当選権利記憶処理について説明する。
図２は、自動販売機１による商品販売処理のフローチャートである。
ユーザ３２は、自動販売機１にて商品ボタンを押すなどして商品を指定し、ＩＣカード３１を利用した商品購入を要求する。自動販売機１の制御部１１は、購入要求を受け付け（ステップＳ１０１）、非接触ＩＣカードリーダライタ１３を介して、ＩＣカード３１の識別情報を読み出す（ステップＳ１０２）。
【００３０】
自動販売機１の制御部１１は、読み出された当該識別情報を記憶部１７から検索し（ステップＳ１０３）、当選情報２５に記憶された識別情報と一致するかどうかを判定し（ステップＳ１０４）、当選情報２５と当該識別情報とが一致しない場合、決済機能部１４は決済処理を行って、ＩＣカード３１に対して決済に関する情報を書込み（ステップＳ１０６）、販売機能部１６は商品３５を排出し（ステップＳ１０７）、抽選機能部１５は当該識別情報に対して抽選処理を行う（ステップＳ１０８）。制御部１１は、当該識別情報が当選したかどうかを判定し（ステップＳ１０９）、当選しなければ処理を終了する。ステップＳ１０９において、当該識別情報が当選した場合、自動販売機１の前面等に設置された表示器等に当選の旨を伝える当選表示を行い（ステップＳ１１０）、当該識別情報と当選内容情報とを当選情報２５として記憶部１７に記憶する（ステップＳ１１１）。
【００３１】
また、ステップＳ１０４において、当選情報２５と当該識別情報とが一致した場合であって、当選内容情報が商品の無償提供の場合には、販売機能部１６は商品３５を排出し（ステップＳ１０５）、ユーザ３２は決済処理なしに商品３５を取得することができる。この場合、制御部１１は、記憶部１７の当選情報２５から当該識別情報を削除する。これは、前回ＩＣカード３１を使って同じ自動販売機１で商品を購入した際の抽選結果が当選であり、ＩＣカード３１の識別情報が当選情報２５として記憶されているためである。
尚、ステップＳ１０４において、当選情報２５と当該識別情報とが一致した場合であって、当選内容情報が商品の割引提供の場合には、販売機能部１６は商品の割引提供の情報に基づいて商品３５の価格を変更し、変更した金額で決済処理を行なって、商品３５を排出するようにしても良い。これによりユーザ３２は、割引価格で商品３５を取得することができる。
【００３２】
このように、自動販売機１は、決済に用いられたＩＣカード３１の識別情報を読み出し、識別情報を用いて抽選を行い、抽選の結果当選し当選権利を得た場合は、その当選権利を識別情報に対応付けて記憶する。
本自動販売機１によれば、当選権利を得た識別情報を当選情報として記憶することができ、当選権利を利用するためにユーザ３２は自動販売機１に再来することとなる。ステップＳ１０５では、当選情報を利用してユーザ３２が当選権利である商品を取得したこととなる。また、ユーザ３２が商品購入後の抽選で当選しても、購入後にさらにもうひとつの商品をもらって一度に複数の商品を手にしても、その場ではひとつで十分であったり、複数の商品を持ち歩くのが面倒であったりする場合がある。このような場合に、自動販売機１に当選権利を記憶して次回に利用できるということは、ユーザ３２にとっても便利である。
【００３３】
次に、自動販売機１が行う抽選処理について説明する。
図３は、確率情報２７を用いた抽選処理を含む、自動販売機による商品販売処理を示すフローチャートである。
自動販売機１の制御部１１は、購入要求を受け付け（ステップＳ２０１）、非接触ＩＣカードリーダライタ１３を介して、ＩＣカード３１の識別情報を読み出す（ステップＳ２０２）。
さらにこのサービスをユーザ３２に提供するにあたり、ユーザ３２は商品購入の決済に使用するＩＣカード３１のような電子メディアさえあればよい。このように、本自動販売機１は、ユーザ３２に何の煩わしさも求めない仕組となっている。
【００３４】
自動販売機１の制御部１１は、読み出された当該識別情報を記憶部１７の識別情報２１から検索し（ステップＳ２０３）、当該識別情報が識別情報２１に既に登録されているかどうかを判定し（ステップＳ２０４）、登録されていない場合は当該識別情報を識別情報２１として記憶部１７に登録する（ステップＳ２０５）。また、ステップＳ２０４において当該識別情報が識別情報２１に登録されている場合は、当選情報２５に記憶された識別情報と一致するかどうかを判定し（ステップＳ２０６）、一致した場合であって、当選情報２５に識別情報と対応して記憶された当選内容情報が無償提供の場合には販売機能部は商品３５を排出する（ステップＳ２０７）。
【００３５】
ステップ２０５の登録後、又はステップＳ２０６において当選情報２５と当該識別情報とが一致しない場合、制御部１１は当選確率演算処理を行い、抽選の当選確率を決定する（ステップＳ２０８）。次に、決済機能部１４は決済処理を行う（ステップＳ２０９）。ここで、決済処理では、制御部１１は、ＩＣカード３１に決済に関わる情報を書き込む処理の他、記憶部１７に当該識別情報と購入商品識別情報と購入日時等の情報である購入情報を記憶させる。そして、販売機能部１６は商品３５を排出する（ステップＳ２１０）。
【００３６】
抽選機能部１５は、演算された当選確率を用いて、当該識別情報に対して抽選処理を行う（ステップＳ２１１）。制御部１１は、当該識別情報が当選したかどうかを判定し（ステップＳ２１２）、当選しなければ処理を終了する。ステップＳ１０９において、当該識別情報が当選した場合、自動販売機１の外面に設置された表示器等に当選の旨を伝える当選表示を行い（ステップＳ２１３）、制御部１１は、当選確率を初期化し、当該識別情報とその当選確率を確率情報２７として記憶部１７に記憶する（ステップＳ２１４）。
【００３７】
以下、ステップＳ２０８における当選確率演算処理について説明する。
図４は、購買回数により当選確率を決定する処理の概略フローチャートである。制御部１１は、記憶部１７からＩＣカード３１の識別情報に対応する購買情報２３を読み出し（ステップＳ３０１）、購買回数をインクリメント（当該識別情報による購買回数＝読み出された購買回数＋１）して（ステップＳ３０２）、当該識別情報による購買回数を更新し（ステップＳ３０３）、当該購買回数に対応する当選確率を設定する（ステップＳ３０４）。当該識別情報に対応した当選確率は確率情報２７として記憶部１７に記憶される。
【００３８】
図５は、当選確率演算処理における販売回数に対応する当選確率の設定の一例を示す図である。図５（ａ）に示すように、自動販売機１での購買回数が多くなるほど抽選処理における当選確率が高くなるように、当選確率を設定することも可能である。また、図５（ｂ）に示すように、購買回数がある程度の回数に達したら、必ず当選するように設定することも可能である。
図５に示す販売回数に対応する当選確率の設定テーブルは、確率情報２７として記憶部１７に記憶される。
【００３９】
こうして設定された当選確率をユーザ３２に対して表示し、通知することも可能である。図６は当選確率の表示例を示す図である。図６（ａ）に示す表示例は、自動販売機１の表面パネルに設けられた金額表示部に当選確率の数値等を表示するものである。自動販売機１には通常、金額表示部があるので、これを使用することで、特別な追加をせずに当選確率を表示し、ユーザ３２に通知することができる。
図６（ｂ）に示す表示例は、金額表示部で用いられるＬＥＤ（Light Emitting Diode）や液晶ディスプレイ、或いは他のディスプレイを利用して当選確率をグラフィカルに表示したものである。数値表示の場合と比較して、自動販売機１を使用する度に当選確率が増える様子を、印象深く表示することができる。
【００４０】
図６（ｃ）に示す表示例は、表面パネルにグラフィックディスプレイを設け、例えばスロットゲーム等による抽選の表示と、バーグラフ等による当選確率を同時に表示するものである。当選確率を認識させながら抽選の様子を通知するため、ユーザ３２に対して、この自動販売機１での商品購入をより楽しませる効果がある。
また、これらの表示を用いて、購入前の確率と購入後の確率とを表示し、商品購入後に当選確率が上昇したことをユーザ３２に示すことによって、ユーザ３２が自動販売機１で再度商品を購入するように促すことも可能である。
このように自動販売機１は、商品購入の度に上昇する当選確率を表示することで、ユーザ３２に対して、特定の自動販売機１を使用することに利点がある、ということを印象付けることができる。
【００４１】
次に、他の当選確率の演算処理方法について説明する。
図７は、前回の購入日からの経過日数により当選確率を決定する当選確率演算処理の概略フローチャートである。制御部１１は、記憶部１７からＩＣカード３１の識別情報に関する購買情報を読み出し（ステップＳ４０１）、前回の購入日から今回の購入日とまでの経過日数を算出する（ステップＳ４０２）。ここで、前回の購入日は、記憶部１７から、ステップＳ２０２で読み出した識別情報に対応づいた購買日時情報を検出し、検出した購買日時情報が１件であった場合にはその情報を前回の購入日とし、あるいは、検出した購買日時情報が複数件であった場合には、検出した購買日情報のうちもっとも値の大きい情報（つまり、直近の購入日）を前回の購入日とする。一方、今回の購入日は、例えば、自動販売機１は日時カウンタを備えることとし、制御部１１は本処理を行う日時情報を取得して今回の購入日とすることができる。今回の購入日と前回の購入日の差分を演算することで、経過日数を算出する。そして、経過日数に応じた確率段階を決定する（ステップＳ４０３）。
【００４２】
図８は確率段階と当選確率設定の一例を示す図である。例えば図８（ａ）を使用すると、経過日数が少ないほど確率段階を高くなる方向にシフトさせることで、自動販売機１で商品を購入すればするほど当選確率が高くなるように設定することが可能である。
また、図８（ｂ）を使用すると、経過日数が少ないほど確率段階を高くなる方向にシフトさせることで、自動販売機１で商品を購入すればするほど当選確率が高くなり、頻繁に商品購入を続ければ必ず当選確率が１００％となるが、久しく商品購入をしなければ当選確率が０％となる、というように設定することが可能である。
図８に示す確率段階と当選確率の設定テーブルは、確率情報２７として記憶部１７に記憶される。
【００４３】
図７に示すステップＳ４０３において、例えば、前回の購入日からの経過日数が「０日」即ち「前回購入日が当日」である場合は、当選確率の確率段階を「プラス２段階」高める。ここで、確率段階とは、確率情報２７に識別情報と対応づけて記憶された数値情報である。経過日数が「１日（前回購入日が前日）」である場合は確率段階を「プラス１段階」高め、経過日数が「２日」である場合は確率段階を変化させず、経過日数が「３日」である場合は確率段階を「マイナス１段階」とし、それ以上経過している場合には確率段階を初期化し下限値にする。従って、図８（ａ）のテーブルにおいて、現在の識別情報の確率段階が「４段階」であり、経過日数が「１日」であれば、確率段階が１段階プラスされ「５段階」となり当選確率として「６％」が設定されることになる。
本実施形態では、確率段階により図８のようなテーブルを参照して当選確率を決定するが、予め経過日数と百分率の数値を対応づけた対応表を記憶部１７に記憶し、この対応表を参照することで当選確率を決定しても良い。また、任意の定数を予め記憶部１７に記憶させ、経過日数にこの定数を乗ずるなどして当選確率を決定しても良い。
このように、前回からの経過日数により当選確率を設定することによって、日数を置かずに頻繁に、ユーザ３２が自動販売機１で商品を購入するように促すことが可能となる。
【００４４】
次に、識別情報に対応した当選確率の演算処理について説明する。
図９は、ＩＣカード３１の識別情報（識別番号）を利用した当選確率を用いた商品販売処理を示すフローチャートである。
自動販売機１の制御部１１は、購入要求を受け付け（ステップＳ５０１）、非接触ＩＣカードリーダライタ１３を介して、ＩＣカード３１の識別情報を読み出す（ステップＳ５０２）。
【００４５】
自動販売機１の制御部１１は、読み出された当該識別情報を記憶部１７から検索し（ステップＳ５０３）、当選情報２５に記憶された識別情報と一致するかどうかを判定し（ステップＳ５０４）、一致する場合は、商品を排出する（ステップＳ５０５）。ステップＳ５０４において、当選情報２５と当該識別情報とが一致しない場合、決済機能部１４は決済処理を行い（ステップＳ５０６）、販売機能部１６は商品３５を排出する（ステップＳ５０７）。抽選機能部１５は、識別情報に対応した当選確率を設定し（ステップＳ５０８）、当該識別情報に対して抽選処理を行う（ステップＳ５０９）。制御部１１は、当該識別情報が当選したかどうかを判定し（ステップＳ５１０）、当選しなければ処理を終了する。ステップＳ５１０において、当該識別情報が当選した場合、自動販売機１の外面に設置された表示器等に当選の旨を伝える当選表示を行い（ステップＳ５１１）、当該識別情報を当選情報２５として記憶部１７に記憶する（ステップＳ５１２）。
【００４６】
図１０は、ステップＳ５０８における、識別情報に対応した当選確率の設定例を示す図である。ここで、識別情報とはＩＣカード３１の識別番号（ＩＤ）であり、例えば、「購入日が月曜日であり、ＩＣカード３１のＩＤの下１桁が「０」か「５」である場合、当選確率は通常確率の５倍とする」と設定可能である。また、「土曜日に購入した場合、ＩＣカード３１のＩＤには関係なく、当選確率は全て３倍とする」という設定も可能となる。
図１０に示す、ＩＤの条件と当選確率の設定テーブルは、確率情報２７として記憶部１７に記憶される。
このように、自動販売機１では、ＩＣカード３１の識別番号や購入曜日等を利用した当選確率を記憶し、当選確率の設定は随時行うことができる。このため、例えば、固有の自動販売機に設定した識別番号ごとの当選確率を高く設定する曜日を公表することで、対応する番号のＩＣカードを有するユーザへの販促効果が期待できる。
【００４７】
次に、前回の当選日から経過日数に対応した当選確率の演算処理について説明する。図１１は、当選日からの経過日数に対応した当選確率を用いた自動販売機１による商品販売処理のフローチャートである。図１１において、ステップＳ１０１からステップＳ１１１の処理は図１に示す同符号の処理と同じである。
ステップＳ１０５において、ＩＣカード３１の識別番号と記憶部１７に記憶された当選情報２５が一致すると、商品が排出され、制御部１１は、前回の当選日から今回の購入日までの経過日数を算出し（ステップＳ１１０１）、経過日数に対応した当選確率を設定する（ステップＳ１１０２）。
【００４８】
例えば、図８に示す確率段階と当選確率の設定テーブルを参照し、当選日からの経過日数が「０日」即ち「当選日当日」である場合は、当選確率の確率段階を「プラス３段階」高め、経過日数が「１日（当選日が前日）」である場合は確率段階を「プラス２段階」高め、経過日数が「２日」である場合は確率段階を変化させず、経過日数が「３日以上」である場合は確率段階を初期化し下限値にすることが可能である。即ち、この設定例では、当選日からの経過日数が少ないほど、当選確率が高くなるように設定される。
記憶部１７は、こうして設定された当選確率を確率情報２７として記憶する。
【００４９】
以上説明したように、当選の抽選処理における当選確率を、購買回数、或いは前回購入日からの経過日数、或いは前回の当選日からの経過日数、或いは識別情報と対応させて演算することにより、固有の自動販売機１で購入するとサービスを受け易くなるという仕組を実現することができ、自動販売機１固有の商品販売を促進させることが可能となる。
【００５０】
以上、添付図面を参照しながら、本発明に係る自動販売機の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
またこのサービスは、決済に使用する電子メディアさえあれば誰でも受けることができ、ユーザ３２に何の煩わしさを必要としない、という利点がある。
【図面の簡単な説明】
【００５１】
【図１】本実施の形態に係る自動販売機１の概略構成を示す図
【図２】当選情報を記憶する自動販売機１による商品販売処理の流れを示すフローチャート
【図３】自動販売機１による当選確率演算処理を含めた商品販売処理の流れを示すフローチャート
【図４】購買回数による当選確率演算処理の流れを示すフローチャート
【図５】購買回数と当選確率の設定例を示す図
【図６】当選確率の表示例を示す図
【図７】前回購入日からの経過日数による当選確率演算処理の流れを示すフローチャート
【図８】確率段階と当選確率の設定例を示す図
【図９】識別情報に対応する当選確率の演算処理を含めた商品販売処理の流れを示すフローチャート
【図１０】識別情報の条件と当選確率の設定例を示す図
【図１１】前回当選日からの経過日数による当選確率演算処理を含めた商品販売処理の流れを示すフローチャート
【符号の説明】
【００５２】
１  自動販売機
１１  制御部
１２  アンテナ
１３  非接触ＩＣカードリーダライタ
１４  決済機能部
１５  抽選機能部
１６  販売機能部
１７  記憶部
２１  識別情報
２３  購買情報
２５  当選情報
２７  確率情報
３１  ＩＣカード
３５  商品
【図１】
2008186372.tif 000003
【図２】
2008186372.tif 000004
【図３】
2008186372.tif 000005
【図４】
2008186372.tif 000006
【図５】
2008186372.tif 000007
【図６】
2008186372.tif 000008
【図７】
2008186372.tif 000009
【図８】
2008186372.tif 000010
【図９】
2008186372.tif 000011
【図１０】
2008186372.tif 000012
【図１１】
2008186372.tif 000013